(57)【特許請求の範囲】
【請求項１】
ラックサーバシステムに適用可能な制御方法であって、
前記ラックサーバシステムとバッテリバックアップユニットとの間に通信リンクを確立するステップであって、前記バッテリバックアップユニットは、前記ラックサーバシステムの電力入力ポートに接続され、互いに並列に接続される複数のバッテリモジュールを有するステップ、
前記ラックサーバシステムにより、前記バッテリバックアップユニットを、第１の期間に前記バッテリモジュールの第１のバッテリモジュールに対して有効性試験を実行するよう制御するステップ、
前記ラックサーバシステムにより、前記バッテリバックアップユニットを、第２の期間に前記バッテリモジュールの第２のバッテリモジュールに対して有効性試験を実行するよう制御するステップであって、前記第１の期間と前記第２の期間は互いに重なり合わないステップ、及び
前記バッテリモジュールに対する有効性試験の結果に従って、前記ラックサーバシステムによって初期負荷を決定するステップであって、前記初期負荷は、前記ラックサーバシステムに供給される主電源に異常が発生したときの前記ラックサーバシステムの性能を定めるものであるステップ、
を有することを特徴とする制御方法。
【請求項２】
請求項１に記載の制御方法であって、
前記バッテリバックアップユニットから前記ラックサーバシステムへの返送データを受信するステップ、及び
前記返送データに従って、前記ラックサーバシステムによって、前記第１のバッテリモジュールに対する前記有効性試験の結果を判定するステップ、
を更に有することを特徴とする制御方法。
【請求項３】
請求項１に記載の制御方法であって、
前記第１のバッテリモジュール又は前記第２のバッテリモジュールに対する前記有効性試験が、放電試験を含むことを特徴とする制御方法。
【請求項４】
請求項１に記載の制御方法であって、
前記バッテリモジュールのうちの１つに対する前記有効性試験がパスしなかった場合、前記ラックサーバシステムは前記初期負荷を低減することを特徴とする制御方法。
【請求項５】
請求項４に記載の制御方法であって、
前記ラックサーバシステムは、パスしなかったバッテリモジュールの数に従って前記初期負荷を低減することを特徴とする制御方法。
【請求項６】
請求項１に記載の制御方法であって、
前記初期負荷は、前記主電源に異常が発生したときの前記ラックサーバシステムの負荷を定めるものであることを特徴とする制御方法。
【請求項７】
ラックサーバシステムであって、
バッテリバックアップユニットに接続される電力入力ポートであって、前記バッテリバックアップユニットは互いに並列に接続される複数のバッテリモジュールを有する、電力入力ポート、
前記バッテリバックアップユニットと通信するための通信リンクを確立する通信インターフェース、及び
前記通信インターフェースに接続され、前記バッテリバックアップユニットを、第１の期間中に前記バッテリモジュールの第１のバッテリモジュールに対して有効性試験を実行するように制御し、第２の期間中に前記バッテリモジュールの第２のバッテリモジュールに対して有効性試験を実行するように制御するための制御ユニットであって、前記第１の期間と前記第２の期間は互いに重なり合わない制御ユニット、
を有し、
前記ラックサーバシステムは更に、前記バッテリモジュールに対する有効性試験の結果に従って初期負荷を決定し、前記初期負荷は、前記ラックサーバシステムに供給される主電源に異常が発生したときの前記ラックサーバシステムの性能を定めるものであることを特徴とするラックサーバシステム。
【請求項８】
請求項７に記載のラックサーバシステムであって、
各バッテリモジュールは、
前記ラックサーバシステムの前記電力入力ポートに接続される電力供給ポート、
バッテリ、及び
前記バッテリと前記電力供給ポートとの間に接続されるＤＣ／ＤＣコンバータ、
を有することを特徴とするラックサーバシステム。
【請求項９】
請求項８に記載のラックサーバシステムであって、
前記バッテリは二次電池であることを特徴とするラックサーバシステム。
【請求項１０】
請求項７に記載のラックサーバシステムであって、
前記通信インターフェースを前記バッテリバックアップユニットに接続する通信バスを更に有することを特徴とするラックサーバシステム。
【請求項１１】
請求項７に記載のラックサーバシステムであって、
前記ラックサーバシステムは更に、前記バッテリバックアップユニットから返送データを受信し、前記返送データに従って前記第１のバッテリモジュールにおける前記有効性試験の結果を判定することを特徴とするラックサーバシステム。
【請求項１２】
請求項７に記載のラックサーバシステムであって、
前記第１のバッテリモジュール又は前記第２のバッテリモジュールに対する前記有効性試験は放電試験を含むことを特徴とするラックサーバシステム。
【請求項１３】
請求項７に記載のラックサーバシステムであって、
前記第１のバッテリモジュールが前記有効性試験においてパスしなかったとき、前記ラックサーバシステムは前記初期負荷を低減することを特徴とするラックサーバシステム。
【請求項１４】
請求項１３に記載のラックサーバシステムであって、
前記ラックサーバシステムは、パスしなかったバッテリモジュールの数に従って前記初期負荷を低減することを特徴とするラックサーバシステム。
【請求項１５】
請求項７に記載のラックサーバシステムであって、
前記初期負荷は、前記主電源に異常が発生したときの前記ラックサーバシステムの負荷を定めるものであることを特徴とするラックサーバシステム。
【請求項１６】
請求項７に記載のラックサーバシステムであって、
前記バッテリバックアップユニットは、
前記バッテリモジュールに接続される別の通信インターフェース、及び
前記別の通信インターフェースに接続され、前記バッテリモジュールを制御して前記有効性試験を実行させるように、前記ラックサーバシステムによって制御される別の制御ユニット、
を更に有することを特徴とするラックサーバシステム。
【発明の詳細な説明】
【技術分野】
【０００１】
本開示は、概してラックサーバシステム及びその制御方法に関し、特に、通信インターフェースを介して、バッテリバックアップユニットを、有効性試験を実行するよう制御するラックサーバシステム、及びその制御方法に関する。
【背景技術】
【０００２】
バッテリバックアップユニットは、無停電電源装置（ＵＰＳ）の代わりに用いることができる。ラックサーバシステムに供給される主電源に異常（電源遮断、電力不足、電力干渉又はサージ等）が発生した状況下では、バッテリバックアップユニットはラックサーバシステムに電力を供給して正常な動作を維持し、さらに、バックアップ電力を提供するためにパワージェネレータのような電源装置が起動される。一般的に、バッテリバックアップユニットは、企業が大きな損失又は他の予期しない結果を被ることのないように、ラックサーバシステム、スイッチ等の重要な市販装置又は精密機器にとって必要な動作を維持して、データ損失を防ぐために用いられる。
【０００３】
バッテリバックアップユニットの有効性はシステム安定性と大きく関係する。経時変化又は他の要因に起因してバッテリバックアップユニットが機能しなくなる場合において、バッテリバックアップユニットは、ラックサーバシステムに供給される主電源に異常が発生したときにラックサーバシステムの正常な動作を維持できなくなり、データが失われる可能性がある。バッテリバックアップユニットの有効性を保証するために、バッテリバックアップユニットにおいて放電試験のような有効性試験を定期的に実行して、バッテリが十分な電力を有するか否かを入手する。
【０００４】
しかしながら、バッテリバックアップユニットが放電試験中に、ラックサーバシステムに供給される主電源に電源遮断のような異常が生じる場合には、バッテリバックアップユニット内に蓄積された電力がほぼ使い果たされる場合があり、バッテリバックアップユニットは、ラックサーバシステムの正常な動作を維持できない場合がある。一方、ラックサーバシステムは安定性の問題を有する場合があり、それによりデータ損失が生じる場合がある。それゆえ、本産業界にとって、ラックサーバシステムのデータ損失のリスクを低減する方法が大きな課題になっている。
【０００５】
特許文献１は、コンパクトなラックマウントストレージサーバを開示している。ラックマウントストレージサーバは、複数のトップローディングストレージデバイスと接続するためのコネクタを備えたプリント回路基板（ＰＣＢ）を有する。ＰＣＩ拡張スロットを有するコントローラーアセンブリが、ＰＣＢの背面からパッシブバックプレーンに動作可能に接続されるように構成される。さらに、そのラックマウントストレージサーバは、ラックマウントストレージサーバの内側領域内で空気が流れるのを容易にするための冗長冷却ユニットを有する。さらに、そのラックマウントストレージサーバは、例えば、電源障害の場合に使用する電力を蓄えるための内蔵バッテリを有することができる。しかしながら、特許文献１は、上記の問題を解決することができない。
【先行技術文献】
【特許文献】
【０００６】
【特許文献１】米国特許第７，７９１，８９４号
【発明の概要】
【発明が解決しようとする課題】
【０００７】
本開示は、バッテリバックアップユニットの有効性試験中にラックサーバシステムのデータ損失のリスクを低減するラックサーバシステム及びその制御方法を対象とする。
【課題を解決するための手段】
【０００８】
本開示の一例によれば、ラックサーバシステムに適用可能な制御方法が提供される。前記ラックサーバシステムは、バッテリバックアップユニットと通信するための通信リンクを確立する。前記バッテリバックアップユニットは、前記ラックサーバシステムの電力入力ポートに接続され、互いに並列に接続される複数のバッテリモジュールを有する。前記ラックサーバシステムは、前記バッテリバックアップユニットを、第１の期間中に第１のバッテリモジュールに対して有効性試験を実行し、第２の期間中に第２のバッテリモジュールに対して有効性試験を実行するように制御し、ここで前記第１の期間及び前記第２の期間は互いに重なり合わない。
【０００９】
本開示の他の一例によれば、ラックサーバシステムが提供される。前記ラックサーバシステムは、電力入力ポート、通信インターフェース、及び制御ユニットを有する。前記電力入力ポートは、バッテリバックアップユニットに接続される。前記バッテリバックアップユニットは、互いに並列に接続される複数のバッテリモジュールを有する。前記通信インターフェースは、前記バッテリバックユニットと通信するための通信リンクを確立する。前記制御ユニットは、前記バッテリバックアップユニットを、第１の期間中に第１のバッテリモジュールに対して有効性試験を実行し、第２の期間中に第２のバッテリモジュールに対して有効性試験を実行するように制御し、ここで前記第１の期間及び前記第２の期間は互いに重なり合わない。
【００１０】
上述した概略的な説明及び以下の詳細な説明はともに例示的かつ説明的なものに過ぎず、請求項に記載されているように、開示する実施の形態に限定するものではないことが理解されるべきである。
【図面の簡単な説明】
【００１１】
【図１】本開示の一実施形態による制御方法のフローチャートである。
【図２】本開示の一実施形態によるラックサーバシステム及びバッテリバックアップユニットの一例のブロック図である。
【図３Ａ】図２のラックサーバシステムとバッテリバックアップユニットとの間の通信の一例のタイミング図である。
【図３Ｂ】図２のラックサーバシステムとバッテリバックアップユニットとの間の通信の一例のタイミング図である。
【図４】本開示の一実施形態によるラックサーバシステム及びバッテリバックアップユニットの別の一例のブロック図である。
【発明を実施するための形態】
【００１２】
以下のいくつかの実施形態においてラックサーバシステム及びその制御方法が開示される。いくつかの実施形態において、バッテリバックアップユニットが、並列に接続される複数のバッテリモジュールを含む。バッテリモジュールは、通信インターフェースを介してラックサーバシステムによって制御され、バッテリモジュールに対して、放電試験のような有効性試験が時分割によって実行される。言い換えると、バッテリモジュールの一部が有効性試験下にあるとき、バッテリモジュールの他の部分は有効性試験下にはなく、ラックサーバシステムに電力を提供する準備ができている。したがって、ラックサーバシステムのデータ損失のリスクが低減される。
【００１３】
図１を参照すると、本開示の一実施形態による制御方法のフローチャートが示されている。この制御方法は、ラックサーバシステムにおいて用いられる。ステップＳ１１０において、ラックサーバシステムは、バッテリバックアップユニットと通信するための通信リンクを確立する。バッテリバックアップユニットは、ラックサーバシステムの電力入力ポートに接続される。バッテリバックアップユニットは、並列に接続される複数のバッテリモジュールを含む。ステップＳ１２０において、ラックサーバシステムは、バッテリバックユニットを、第１の期間中にバッテリバックアップユニットの第１のバッテリモジュールの有効性を試験するように制御する。ステップＳ１３０において、ラックサーバシステムは、バッテリバックアップユニットを、第２の期間中にバッテリバックアップユニットの第２のバッテリモジュールの有効性を試験するように制御する。第１の期間及び第２の期間は互いに重なり合わない。これら重なり合わない２つの期間は、バッテリバックアップユニットの２つのバッテリモジュールが時分割で有効性試験下にあり、ラックサーバシステムのデータ損失のリスクが低減されることを意味する。
【００１４】
図２を参照すると、本開示の一実施形態によるラックサーバシステム及びバッテリバックアップユニットの一例のブロック図が示されている。ラックサーバシステム２００は、例えばクラウドコンピューティングラックサーバシステムによって実現することができるが、これに限定されない。ラックサーバシステム２００は、例えば、１つのラック内に複数のサーバ（図示せず）を含む。ラックサーバシステム２００は少なくとも、電力入力ポート２１０、通信インターフェース２２０、及び制御ユニット２３０を含む。図２では、本開示の実施形態を詳述する都合上、この例のラックサーバシステム２００は基本モデルとして示されているが、実際にはラックサーバシステムは、ここに図示されていない他の回路も含んでもよい。
【００１５】
電力入力ポート２１０はバッテリバックアップユニット３００に接続される。例えば、電力入力ポート２１０は、ＤＣ電力を受信するためのＤＣ電力入力ポートによって実現することができる。電力入力ポート２１０は、例えばＡＣ／ＤＣ電源からの電力の受信、又はバッテリバックアップユニット３００からの電力の受信のように、異なる極性又は異なるレベルを有するＤＣ電力を受信するために２つ以上の入力端を含むことができる。ラックサーバシステム２００に供給される主電源に異常が発生したとき、正常な動作を維持するためにシステム２００が電力を供給されるように、電力入力ポート２１０は、バッテリバックアップユニット３００からシステム２００に電力を供給する。
【００１６】
通信インターフェース２２０は、バッテリバックアップユニット３００と通信するための通信リンクを確立する。いくつかの実施形態において、通信インターフェース２２０は、ＢｌｕｅＴｏｏｔｈ（登録商標）、ワイヤレスフィデリティ（Ｗｉ−Ｆｉ）、又は他の無線通信標準規格若しくは無線通信プロトコルのような無線通信インターフェースである。他のいくつかの実施形態では、通信インターフェース２２０は、例えば、ラックサーバシステム２００の通信バス２４０を介してバッテリバックアップユニット３００に接続することができる有線通信インターフェースである。通信バス２４０は、例えば、ＲＳ２３２Ｃバス、Ｉ２Ｃバス、コントローラーエリアネットワーク（ＣＡＮ）バス、又は他のバスである。
【００１７】
制御ユニット２３０は通信インターフェース２２０に接続される。通信インターフェース２２０を介して、制御ユニット２３０は、バッテリバックアップユニット３００を、バッテリバックアップユニット３００に対して有効性試験を実行するよう制御する。本開示の本実施形態では、バッテリバックアップユニット３００は、図２に示されるように、並列に接続される複数のバッテリモジュール３１０−１〜３１０−ｎを含む。制御ユニット２３０は、ラックサーバシステムのデータ損失のリスクを低減するために、バッテリモジュール３１０−１〜３１０−ｎにおける有効性試験の実行時間及び実行順序の計画、又は取り決めを行う。
【００１８】
いくつかの実施形態では、制御ユニット２３０は、バッテリバックアップユニット３００を、バッテリモジュール３１０の有効性を１つずつ順に、又は非同時に試験するように制御してもよい。例えば、制御ユニット２３０は、バッテリバックアップユニット３００を、第１の期間中に第１のバッテリモジュール３１０−１の有効性を試験し、第２の期間中に第２のバッテリモジュール３１０−２の有効性を試験するよう制御してもよく、ここで第１の期間及び第２の期間は互いに重なり合わない。他のバッテリモジュール３１０−３〜３１０−ｎに対する有効性試験期間も同じように取り決めることができる。こうして、いずれの試験期間中においても、ラックサーバシステム２００は、有効性試験下にないバッテリモジュールによって電力供給を受けることができ、それゆえ、ラックサーバシステムのデータ損失のリスクが低減される。
【００１９】
他のいくつかの実施形態では、制御ユニット２３０は、バッテリバックアップユニット３００を、第１の期間中にバッテリモジュールのうちの一部（例えば２つ以上のバッテリモジュール）の有効性を試験し、第２の期間中にバッテリモジュールのうちの別の部分（例えば別の２つ以上のバッテリモジュール等）の有効性を試験するよう制御してもよい。こうして、いずれの試験期間中においても、ラックサーバシステム２００は、有効性試験下にないバッテリモジュールによって電力供給を受けることができ、それゆえ、ラックサーバシステムのデータ損失のリスクが低減される。
【００２０】
バッテリバックアップユニット３００においては、各バッテリモジュール３１０−１〜３１０−ｎは同様の構成要素を含む。バッテリモジュール３１０−１を例に取ることにする。バッテリモジュール３１０−１は、電力供給ポート３１１−１、ＤＣ／ＤＣコンバータ３１２−１、及びバッテリ３１３−１を含む。電力供給ポート３１１−１は、ラックサーバシステム２００の電力入力ポート２１０に結合される。ＤＣ／ＤＣコンバータ３１２−１はバッテリ３１３−１と電力供給ポート３１１−１との間に接続され、バッテリ３１３−１の電圧をラックサーバシステム２００のための電圧に変換する。バッテリ３１３−１は、例えば二次電池、又は他のタイプである。いくつかの実装例では、バッテリ３１３−１は、例えばリチウムバッテリである。他のいくつかの実装例では、バッテリ３１３−１は、例えば、再利用可能バッテリ、充電式バッテリ、又は交換式バッテリである。
【００２１】
複数のバッテリモジュールを配置することによって、バッテリバックアップユニット３００の電力供給の安定性が向上する。言い換えると、１つのバッテリモジュールが機能しなくなっても、バッテリバックアップユニット３００の他のバッテリモジュールがラックサーバシステム２００に電力を供給する。こうしてラックサーバシステム２００の安定性が維持され、ラックサーバシステムのデータ損失のリスクが低減される。
【００２２】
さらに、バッテリバックアップユニット３００においては、制御ユニットは、有効性試験に通じて、バッテリバックアップユニット３００が経時変化又は他の要因に起因して機能しなくなったか否かを知り、バッテリバックアップユニット３００の有効性を保証する。一実施態様例では、バッテリバックアップユニット３００に対する有効性試験は、例えば、放電試験である。放電試験中に、バッテリバックアップユニット３００はその出力電圧を高めて、ラックサーバシステム２００にエネルギーを提供する。他の実施態様例では、バッテリバックアップユニット３００がリチウムバッテリを使用する場合、有効性試験は、使用時間と電圧との間の関係を記録する学習曲線試験である。しかしながら、本開示はそのような例示には限定されず、バッテリバックアップユニット３００に対する有効性試験は、バッテリモジュールのタイプ又はユーザー要求に基づいて定められる。
【００２３】
図３Ａ及び図３Ｂを参照すると、図２のラックサーバシステムとバッテリバックアップユニットとの間の通信の一例のタイミング図が示されている。以下において、本開示は、図２と、図３Ａ及び３Ｂと、を組み合わせて更に詳述される。
【００２４】
ステップＳ３１０において、ラックサーバシステム２００は、バッテリバックアップユニット３００と通信するための通信リンクを確立する。それに応じて、ステップＳ４１０において、バッテリバックアップユニット３００は、ラックサーバシステム２００との通信を行う。
【００２５】
ステップＳ３１２において、ラックサーバシステム２００は、前のデータを読み出し、バッテリバックアップユニット３００に対する前の有効性試験（複数の場合もあり）の結果（複数の場合もあり）及び実行時間（複数の場合もあり）を取得する。それに応じて、ステップＳ４１２において、バッテリバックアップユニット３００は、ラックサーバシステム２００に前の試験データを与える。試験データは、例えば不揮発性メモリからなる、バッテリバックアップユニット３００のメモリに格納される。ラックサーバシステム２００によって読み出されたデータは、例えばバッテリモジュール３１０−１〜３１０−ｎに対する前の有効性試験の実行時間及び結果の情報、又は、例えば寿命、製造者、製造年月日及び電気的特性のような他の情報である。
【００２６】
ステップＳ３１４において、ラックサーバシステム２００は、バッテリモジュール３１０−１〜３１０−ｎに対する有効性試験の実行時間及び試験順序を計画又は取り決めを行う。ラックサーバシステム２００は、例えば、読み出されたデータに従って、バッテリモジュール３１０−１〜３１０−ｎにおける有効性試験の実行時間及び試験順序を計画、又は取り決めを行う。例えば、システム安定性を考慮して、バッテリモジュール３１０−１〜３１０−ｎにおける有効性試験の実行時間は、同時ではなく、互いに重なり合うこともない。バッテリモジュール３１０−１〜３１０−ｎに対する有効性試験の実行順序は、例えば、前の実行時間に従って決定される。例えば、あるバッテリモジュールに対する前の試験時間が早いほど、そのバッテリモジュールに対する有効性試験の優先順位を高くする。バッテリモジュール３１０−１〜３１０−ｎに対する有効性試験の実行時間は、バッテリモジュール３１０−１〜３１０−ｎに対する前の実行結果に従って決定される。例えば、前の有効性試験においてパスしなかったバッテリモジュール（複数の場合もあり）に対して試験を行わないようにして、全試験時間を短縮する。
【００２７】
ステップＳ３１６において、ラックサーバシステム２００は、コマンドをバッテリバックアップユニット３００に送信して有効性試験を通知する。それに応じて、ステップＳ４１６において、バッテリバックアップユニット３００は、そのコマンドを受信して有効性試験を開始する。例えば、バッテリバックアップユニット３００は、出力電圧を高めて、エネルギーを放出する。
【００２８】
ステップＳ３１８において、ラックサーバシステム２００は、試験結果を示す返送データを受信する。それに応じて、ステップＳ４１８において、バッテリバックアップユニット３００は、試験下のバッテリモジュール（複数の場合もあり）の状態を判定する。試験結果が「パス」を示す場合には、処理はステップＳ４２２に進んで、バッテリバックアップユニット３００は、試験をパスしたバッテリモジュール（複数の場合もあり）を充電し、充電が終了した後に、バッテリバックアップユニット３００は返送データを送信し、処理はステップＳ３１８に進む。試験結果が「パスせず」を示す場合には、処理はステップＳ４２０に進み、バッテリバックアップユニット３００は、発光ダイオード（ＬＥＤ）のようなインジケータを制御して、試験下のバッテリモジュール（複数の場合もあり）の障害を示す光信号のような指示信号を生成する。実施形態によっては、試験結果を示す返送データを生成する他のステップ、又はバッテリバックアップユニット３００のメモリ（図示せず）に試験結果を格納するステップを更に含んでもよい。
【００２９】
ステップＳ３２０において、ラックサーバシステム２００は、返送データに従って、バッテリモジュール（複数の場合もあり）における有効性試験の結果を判定する。試験結果が「パスせず」を示す場合には、処理はステップＳ３２２に進む。試験結果が「パス」を示す場合には、処理はステップＳ３２４に進む。
【００３０】
ステップＳ３２２において、ラックサーバシステム２００は、例えば光信号、音声信号、又は画面上にメッセージを表示するための信号等の指示信号を生成し、バッテリモジュールを交換することをユーザーに通知するか、気付かせる。その後、処理はステップＳ３２４に進む。
【００３１】
ステップＳ３２４において、ラックサーバシステム２００は、有効性試験の結果を格納する。通信インターフェース２２０を介して、試験結果は制御ユニット２３０に送信され、制御ユニット２３０のメモリ（図示せず）又は図示しない他のメモリに更に格納してもよい。
【００３２】
ステップＳ３２６において、ラックサーバシステム２００は、バッテリモジュール３１０−１〜３１０−ｎに対する有効性試験の結果に従って、初期負荷を決定する。初期負荷は、ラックサーバシステム２００に供給される主電源に異常が発生したときの、ラックサーバシステム２００の効率を決定する。初期負荷は、例えば、主電源に異常が発生したときのラックサーバシステムの負荷を決定する。
【００３３】
いくつかの実施形態において、初期負荷は、主電源に異常が発生したときに、ラックサーバシステムにおいて正常に動作するサーバの数を定める。例えば、最大負荷状態では、ラックサーバシステム２００は、全てのサーバを作動させて高い効率及び高い消費電力にて動作させてもよい。半負荷状態では、ラックサーバシステム２００は、サーバの半分を作動させ、サーバの他の半分を安全に停止して、効率及び消費電力の両方を低減する。
【００３４】
いくつかの実施形態において、初期負荷は、主電源に異常が発生したときの、ラックサーバシステムの各サーバのプロセッサの動作周波数を定める。例えば、最大負荷状態では、ラックサーバシステム２００の各サーバのプロセッサは、最も高い動作周波数、高い効率にて動作するが、消費電力も高い。半負荷状態では、ラックサーバシステム２００の各サーバのプロセッサの動作周波数は半分であり、効率及び消費電力は低減される。
【００３５】
上述した、初期負荷によって動作させるサーバの数の決定、及び／又はサーバのプロセッサの動作周波数を決定する構成は例示のためのものであり、本開示を限定するものではない。初期負荷は、主電源に異常が発生したときのラックサーバシステムの効率、負荷又は消費電力に関連する他のパラメータとしてもよい。
【００３６】
いくつかの実施形態において、有効性試験においてバッテリモジュールがパスしなかったとき、ラックサーバシステム２００は、初期負荷を低減してもよい。例えば、初期負荷は、パスしなかったバッテリモジュールの数に応じて低減される。１０個のバッテリモジュールが使用され、初期状態において、初期負荷が最大負荷とされていると仮定する。１つのバッテリモジュールがパスしなかったとき、初期負荷を１０分の１だけ減らして１０分の９の負荷としてもよい。バッテリモジュールの半分がパスしなかったとき、初期負荷を１０分の５だけ減らして半分の負荷としてもよい。こうして、ラックサーバシステム２００の主電源に異常が発生したとき、ラックサーバシステム２００が高い効率及び／又は高い消費電力にて動作することが回避される。こうして、ラックサーバシステムの安定性が維持され、ラックサーバシステムのデータ損失のリスクが低減される。
【００３７】
図４を参照すると、本発明の一実施形態によるラックサーバシステム及びバッテリバックアップユニットの別の例のブロック図が示されている。
【００３８】
この例では、ラックサーバシステム４００は、電力入力ポート４１０、システム通信インターフェース４２０、及びシステム制御ユニット４３０を含む。ラックサーバシステム４００の動作は図２のラックサーバシステム２００の動作と同様であり、同様点に関する説明はここでは繰り返さない。
【００３９】
バッテリバックアップユニット５００は、並列に接続される複数のバッテリモジュール５１０−１〜５１０−ｎを含み、更にバッテリ通信インターフェース５２０及びバッテリ制御ユニット５３０を含む。バッテリ制御ユニット５３０及びラックサーバシステム４００は互いに通信し、上記の制御方法に係る制御を実行してもよい。
【００４０】
バッテリ制御ユニット５３０は、システム制御ユニット４３０の動作の一部を実行してもよい。例えば、バッテリ制御ユニット５３０は、システム制御ユニット４３０からの通知を受信し、バッテリモジュール５１０−１〜５１０−ｎを、時分割して有効性試験を実行するよう制御する。ステップＳ３１４において示されるような別の例では、バッテリ制御ユニット５３０は、有効性試験の実行時間及び順序の計画及び取り決めを行ってもよい。
【００４１】
ラックサーバシステムが、バッテリバックアップユニットを有効性試験を実行するよう制御するか、ラックサーバシステムがバッテリバックアップユニットの制御ユニットに有効性試験を実行するように通知するか、にかかわらず、バッテリバックアップユニットのバッテリモジュールが時分割で試験される限り、それらの実施形態は本開示の可能な実施形態である。
【００４２】
本開示の本実施形態のラックサーバシステム及びその制御方法によれば、バッテリバックアップユニットは、互いに並列に接続される複数のバッテリモジュールを含み、バッテリモジュールは、ラックサーバシステムによって、通信インターフェースを介して、時分割方式での放電試験のような試験を実施されるように制御され、ラックサーバシステムのデータ損失のリスクが低減される。
【００４３】
いくつかの実施形態においては、（モジュール化された）バッテリバックアップユニット及び通信インターフェースの構成により、ラックサーバシステムはバッテリモジュールに、試験を受けるよう通知する（すなわち、システム制御）。システム制御の利点は、全ての負荷条件が考慮に入れられ、試験中であることによる、もしくはバッテリモジュールの障害に起因する、電源の遮断が回避されることである。モジュール化されたバッテリバックアップユニットとの連携により、システムは、有効性試験下にあるバッテリモジュールを異なる期間に（すなわち、時分割して）制御して、システム安定性を維持する。
【００４４】
他の実施形態では、主電源に異常が発生したときのラックサーバシステムの消費電力を、バッテリモジュールにおける有効性試験の結果に従って決定することで、ラックサーバシステムが高効率及び高消費電力において動作することが回避される。こうして、ラックサーバシステムのデータ損失のリスクが更に低減される。
【００４５】
当業者により、上述の開示した実施形態に対し、その広い発明の概念から逸脱することなく変更を行うことができることが理解されよう。したがって、開示した実施形態は、開示した特定の例には限定されず、以下の特許請求の範囲によって規定される開示した実施形態の趣旨及び範囲内の変形を包含するように意図されていることが理解される。
【図１】
0005575829.tif 000002
【図２】
0005575829.tif 000003
【図３Ａ】
0005575829.tif 000004
【図３Ｂ】
0005575829.tif 000005
【図４】
0005575829.tif 000006